(57)【要約】【課題】撹拌用ポンプの消費電力を低減した１缶多回路式給湯装置を提供する。【解決手段】  缶体１と、バーナ部２と、缶体１内に配置された風呂用熱交換器５と、風呂用ポンプ１６と、浴槽１７の浴槽水を風呂用熱交換器５に行かさずに浴槽１７に戻すバイパス管２４と、切替えることにより浴槽１７の浴槽水を風呂用熱交換器５又はバイパス管２４に流す風呂切替弁２３と、缶体１内を撹拌する撹拌用ポンプ６とを備え、撹拌用ポンプ６は、風呂切替弁２３が風呂用熱交換器５側に接続され、且つ風呂用ポンプ１６が動作したときに動作を開始するので、浴槽水がまだ風呂用熱交換器５で加熱されていないのに、缶体１の撹拌用ポンプ６が駆動して余計な電力を消費するのを防止できるものである。【選択図】  図２
2019007635.tif 000002
【特許請求の範囲】
【請求項１】
温水を貯湯する缶体と、該缶体を加熱するバーナ部と、前記缶体内に配置された風呂用熱交換器と、該風呂用熱交換器に浴槽の浴槽水を循環させる風呂用ポンプと、浴槽の浴槽水を風呂用熱交換器に行かさずに浴槽に戻すバイパス管と、切替えることにより浴槽の浴槽水を風呂用熱交換器又はバイパス管に流す風呂切替弁と、前記缶体内を撹拌する撹拌用ポンプとを備えた１缶多回路式給湯装置に於いて、前記撹拌用ポンプは、風呂切替弁が風呂用熱交換器側に接続され、且つ風呂用ポンプが動作したときに動作を開始することを特徴とする１缶多回路式給湯装置。
【発明の詳細な説明】
【技術分野】
【０００１】
本発明は、１つの缶体で、給湯、暖房、風呂の３回路を有する１缶多回路式給湯装置に関するものである。
【背景技術】
【０００２】
従来、この種のものに於いては、１つの給湯缶体内に、暖房用の熱交換器となる暖房用蛇管及び風呂用熱交換器となる風呂用蛇管とを備え、缶体内の温水で給湯を行うと共にこの温水と熱交換して温水暖房及び風呂の追焚きや保温を行い、１台３役で利便性を計るものであった。
【０００３】
そして風呂の追焚きや保温をする風呂運転を行なう時、風呂用ポンプを駆動して浴槽水を浴槽と風呂用熱交換器となる風呂用蛇管を循環させて、風呂を沸き上げるものであり、風呂循環回路途中に備えられた湯温センサーの設定温度検知で自動的に停止されるものである。
【０００４】
又、撹拌用ポンプによって、缶体下部の温水を上部に供給して該缶体内の湯温を均一にし、常に同一の熱交換効率で沸き上がり時間が大きく変動しない風呂焚きを実現出来るものであった。（例えば、特許文献１参照。）
【先行技術文献】
【特許文献】
【０００５】
【特許文献１】特開２００１−１２７５７号
【発明の概要】
【発明が解決しようとする課題】
【０００６】
ところで、この従来のものでは、風呂運転を行なう時、風呂用ポンプを駆動すると同時に撹拌用ポンプを駆動していたが、風呂循環回路に三方弁からなる切替弁を備えたバイパス路を設け、風呂運転を行なう時、浴槽水を浴槽とバイパス路との間を循環させて浴槽水の温度を検知し、それから切替弁を動作させて浴槽水を浴槽と風呂用熱交換器となる風呂用蛇管を循環させて、風呂を沸き上げていた。
【０００７】
この場合も風呂用ポンプを駆動すると同時に撹拌用ポンプを駆動するため、浴槽水がまだ風呂用熱交換器となる風呂用蛇管を循環していないのに撹拌用ポンプが駆動して余計な電力を消費したり、缶体内の温水を無駄に攪拌して放熱させてしまうという問題があった。
【課題を解決するための手段】
【０００８】
上記課題を解決するために、本発明の請求項１では、温水を貯湯する缶体と、該缶体を加熱するバーナ部と、前記缶体内に配置された風呂用熱交換器と、該風呂用熱交換器に浴槽の浴槽水を循環させる風呂用ポンプと、浴槽の浴槽水を風呂用熱交換器に行かさずに浴槽に戻すバイパス管と、切替えることにより浴槽の浴槽水を風呂用熱交換器又はバイパス管に流す風呂切替弁と、前記缶体内を撹拌する撹拌用ポンプとを備えた１缶多回路式給湯装置に於いて、前記撹拌用ポンプは、風呂切替弁が風呂用熱交換器側に接続され、且つ風呂用ポンプが動作したときに動作を開始するものである。
【発明の効果】
【０００９】
この発明の請求項１によれば、風呂切替弁が風呂用熱交換器側に接続され、且つ風呂用ポンプが動作したときに撹拌用ポンプの動作を開始するので、浴槽水がまだ風呂用蛇管で加熱されていないのに、缶体の撹拌用ポンプが駆動して余計な電力を消費するのを防止できるものである。
【００１０】
又、浴槽水がまだ風呂用蛇管で加熱されていないのに、缶体の撹拌用ポンプが駆動することにより、缶体内の温水を無駄に攪拌して放熱させてしまうのを防止できるものである。
【００１１】
又、撹拌用ポンプの動作時間が短くなるので、撹拌用ポンプの寿命を長くすることが出来るものである。
【図面の簡単な説明】
【００１２】
【図１】この発明の一実施形態を示す１缶多回路式給湯装置の概略断面図。
【図２】同追い焚き運転のフローチャート図。
【発明を実施するための形態】
【００１３】
次に、この発明の一実施形態を図面に基づいて説明する。
１は下部に加熱用のバーナ部２を備える燃焼室３を形成した缶体で、燃焼室３にて加熱された温水を貯湯するもので、内方には温水暖房用熱交換器を構成する暖房用蛇管４と、風呂用熱交換器を構成する風呂用蛇管５とを上下に配設し、給湯と共に温水暖房暖房及び風呂焚きを同時又はそれぞれ単独でも行えるようにしたものである。
【００１４】
６は缶体１の上下部を結ぶ連通パイプ７途中に備えられた撹拌用ポンプで、温水暖房及び風呂焚き時には連続駆動して、缶体１内の温水温度を上下均一化させるもので、暖房及び風呂焚きが終了するまで継続して行うものである。
【００１５】
前記缶体１の上部中央には給湯栓８と連通し適温水を供給する出湯口９が備えられると共に、補水用の給水口１０は暖房用蛇管４と風呂用蛇管５とが、ここでは該風呂用蛇管５と同等の所定間隔離れて形成した給水空間１１に対向するように缶体１やや中央部に備えられ、給湯使用で補水される給水が各蛇管４、５にぶつかり乱流が発生しないようにしているものである。
【００１６】
１２は暖房用蛇管４からの温水を暖房用ポンプ１３により放熱器１４を流通させ室内に熱気を放出した後、再び暖房用蛇管４に戻し、順次この循環を行わせて室内の暖房を行う温水式の暖房回路である。
【００１７】
１５は途中に風呂用ポンプ１６を備え、浴槽１７と風呂用蛇管５とを連通させた循環回路で、浴槽１７内の湯水を風呂用蛇管５に循環させることで風呂焚きを行うものである。
【００１８】
１８は缶体１上部に備えられたサーミスタから成る温度センサーで、暖房運転及び風呂運転の時には缶体１内の湯温が８０℃〜８５℃となるようにバーナ部２及び撹拌用ポンプ６を駆動制御し、給湯時には湯温が６５℃〜７０℃となるようにバーナ部２の燃焼制御のみを行うものである。
【００１９】
前記循環回路１５は、浴槽１７内の浴槽水を風呂用蛇管５の流入口１９に戻す風呂戻り管２０と、風呂用蛇管５で加熱された浴槽水を風呂用蛇管５の流出口２１から浴槽１７内に戻す風呂往き管２２とからなり、前記風呂用ポンプ１６は風呂戻り管２０に設けられているものである。
【００２０】
２３は三方弁からなる風呂切替弁で、風呂戻り管２０の風呂用ポンプ１６の下流側、風呂用ポンプ１６と風呂用蛇管５の流入口１９との間に設けられ、一端が風呂往き管２２と接続されているバイパス管２４の他端が接続され、風呂切替弁２３の切り替えで浴槽１７内の浴槽水を風呂用蛇管５の流入口１９に戻したり、
浴槽１７内の浴槽水を風呂用蛇管５の流入口１９に戻さずにバイパス管２４と浴槽１７間を循環させるものである。
【００２１】
２５は浴槽１７内の浴槽水の温度を検知する風呂サーミスタで、風呂戻り管２０に設けられているものである。
【００２２】
次にこの１缶多回路式給湯装置の風呂の追い焚き運転及び保温運転について図２のフローチャート図に基づいて説明する。
まず追い焚きスイッチ（図示せず）や保温スイッチ（図示せず）がオンされると（Ｓ１）、風呂切替弁２３をバイパス管２４側に動作させる。（Ｓ２）
【００２３】
そして次に風呂用ポンプ１６をオンさせて、浴槽水を浴槽１７とバイパス管２４との間を循環させ、所定時間経過したら（Ｓ４）、風呂サーミスタ２５で浴槽水の温度を検知する。（Ｓ５）
【００２４】
そして（Ｓ５）で浴槽水の温度を検知し、検知した浴槽水の温度が設定温度より一定温度Ｔ以上低い場合は（Ｓ６）、風呂用ポンプ１６をオフさせて（Ｓ７）、風呂切替弁２３を風呂用熱交換器の風呂用蛇管５の流入口１９側に動作させ（Ｓ８）、次に風呂用ポンプ１６を再びオンさせて（Ｓ９）、浴槽水を風呂用熱交換器の風呂用蛇管５で加熱し、浴槽１７と風呂用蛇管５間で循環させる。
【００２５】
又、（Ｓ５）で検知した浴槽水の温度が設定温度より一定温度Ｔ以上低くない場合は、後述する（Ｓ１４）に進むものである。
【００２６】
そして次に、風呂切替弁２３が風呂用熱交換器の風呂用蛇管５の流入口１９側かを確認し（Ｓ１０）、更に風呂用ポンプ１６がオンかを確認し（Ｓ１１）、風呂切替弁２３が風呂用熱交換器の風呂用蛇管５の流入口１９側で風呂用ポンプ１６がオンの時、撹拌用ポンプ６をオンする。（Ｓ１２）
【００２７】
そして、風呂サーミスタ２５で検知する浴槽水の温度が、設定温度に達したら（Ｓ１３）、風呂用ポンプ１６をオフし（Ｓ１４）、次に風呂切替弁２３をバイパス管２４側でも風呂用熱交換器の風呂用蛇管５の流入口１９側でもない閉止状態にする。（Ｓ１５）
【００２８】
そして撹拌用ポンプ６をオフし（Ｓ１６）、次に（Ｓ１４）で風呂用ポンプ１６がオフしてから所定時間経過したら（Ｓ１７）、（Ｓ１）に戻るものである。
【００２９】
尚、本実施例では缶体１内の温水を給湯に使用したがこれに限定されず、缶体１内の温水を暖房に使用してもよいものである。
【００３０】
又、風呂の追い焚き運転、保温運転で説明したがこれに限定されず、風呂の湯張り運転で浴槽に所定量湯張りをした後、設定した温度まで沸き上げる場合や、風呂の湯張り運転完了後、自動で保温運転に入る場合や、所定間隔で保温をインターバルに行なう場合も該当するものである。
【００３１】
以上のように風呂の浴槽水を加熱する際、風呂切替弁２３をバイパス管２４側に動作させて、浴槽水を浴槽１７とバイパス管２４との間を循環させて浴槽水の温度を検知している間は撹拌用ポンプ６を停止しているので、浴槽水がまだ風呂用蛇管５で加熱されていないのに、缶体１の撹拌用ポンプ６が駆動して余計な電力を消費するのを防止できるものである。
【００３２】
又、浴槽水がまだ風呂用蛇管５で加熱されていないのに、缶体１の撹拌用ポンプ６が駆動することにより、缶体１内の温水を無駄に攪拌して放熱させてしまうのを防止できるものである。
【００３３】
又、撹拌用ポンプ６の動作時間が短くなるので、撹拌用ポンプ６の寿命を長くすることが出来るものである。
【符号の説明】
【００３４】
１  給湯用缶体
２  バーナ部
５  風呂用熱交換器
６  撹拌用ポンプ
１６  風呂用ポンプ
１７  浴槽
２３  風呂切替弁
２４  バイパス管
【図１】
2019007635.tif 000003
【図２】
2019007635.tif 000004